(57)【要約】【課題】ブラケットを使用してストロボをカメラ側面に装着する際、取り付け位置（高さ、左右）、カメラ機種、カメラが装着するアクセサリなどの有無に応じてバウンス部３５０の駆動範囲を制限することを可能にしたオートバウンスストロボを提供することを提供すること。【解決手段】ブラケット検出手段（３２４）によりブラケットの装着が検出された場合、ブラケット取り付け位置入力要求手段（３１０）によりユーザにブラケット取り付け位置の入力を要求し、バウンス位置制限手段（３１０）はブラケット取り付け位置のほか、撮像装置（１００）種類、撮像装置（１００）が装着するアクセサリに応じてバウンス位置の変更範囲に制限をかけることを特徴とすることを特徴とする。【選択図】図１−１
2017125982.tif 000002
【特許請求の範囲】
【請求項１】
撮像装置（１００）と接続して使用するストロボ装置（３００）であって、
ストロボ装置（３００）は、構成として、
ストロボからストロボ光を反射させる反射面までの距離である反射面距離を測定するための反射面距離測定装置（３９２）と、
撮像装置（１００）との通信手段（３１０）と
被写体距離情報と前記反射面距離測定装置から測定された反射面距離を用いて、バウンス撮影をする際にバウンス位置を移動させるための角度であるバウンス角度を算出するバウンス角度算出手段（３１０）と、
バウンス位置を左右、上下に変更し、光を照射する方向を変更するためのバウンス駆動部（３５１）と、
バウンス位置を検出するためのバウンス位置検出手段（３５２）と、
ブラケット検出手段（３２４）と、
ブラケット取り付け位置入力要求手段（３１０）と、
ブラケット取り付け位置を入力するための入力手段（３２０）と、
バウンス位置の変更範囲に制限をかけるバウンス位置制限手段（３１０）と、
を備え、
撮像装置（１００）は、構成として、
ストロボ装置（３００）との通信手段（１０１）と
を備え、
ストロボ装置（３００）または撮像装置（１００）は
被写体距離測定装置（１０７）を備え、
ブラケット検出手段（３２４）はブラケットの装着を検出する事が可能であって、
ブラケット検出手段（３２４）によりブラケットの装着が検出された場合、ブラケット取り付け位置入力要求手段（３１０）によりユーザにブラケット取り付け位置の入力を要求し、バウンス位置制限手段（３１０）はブラケット取り付け位置のほか、撮像装置（１００）種類、撮像装置（１００）が装着するアクセサリに応じてバウンス位置の変更範囲に制限をかけることを特徴とするオートバウンスストロボ。
【請求項２】
撮像装置（１００）と接続して使用するストロボ装置（３００）であって、
ストロボ装置（３００）は、構成として、
ストロボからストロボ光を反射させる反射面までの距離である反射面距離を測定するための反射面距離測定装置（３９２）と、
撮像装置（１００）との通信手段（３１０）と
被写体距離情報と前記反射面距離測定装置から測定された反射面距離を用いて、バウンス撮影をする際にバウンス位置を移動させるための角度であるバウンス角度を算出するバウンス角度算出手段（３１０）と、
バウンス位置を左右、上下に変更し、光を照射する方向を変更するためのバウンス駆動部（３５１）と、
バウンス位置を検出するためのバウンス位置検出手段（３５２）と、
ブラケット検出手段（３２４）と、
ブラケット取り付け位置入力要求手段（３１０）と、
ブラケット取り付け位置を入力するための入力手段（３２０）と、
バウンス位置の変更範囲に制限をかけるバウンス位置制限手段（３１０）と、
を備え、
撮像装置（１００）は、構成として、
ストロボ装置（３００）との通信手段（１０１）と
を備え、
ストロボ装置（３００）または撮像装置（１００）は
被写体距離測定装置（１０７）を備え、
ブラケット検出手段（３２４）はストロボ装置が撮像装置（１００）に直接接続されているか否かを検出可能であって、
ブラケット検出手段（３２４）によりストロボ装置が撮像装置（１００）に直接接続されていないことが検出された場合、ブラケット取り付け位置入力要求手段（３１０）によりユーザにブラケット取り付け位置の入力を要求し、バウンス位置制限手段（３１０）はユーザにより入力されたブラケット取り付け位置のほか、撮像装置（１００）種類、撮像装置（１００）が装着するアクセサリに応じてバウンス位置の変更範囲に制限をかけることを特徴とするオートバウンスストロボ。
【請求項３】
前記ブラケット検出手段（３２４）はストロボ装置（３００）に備えられた撮像装置（１００）の近接を検出する近接センサーであることを特徴とする請求項２に記載のオートバウンスストロボ。
【請求項４】
前記ブラケット検出手段はストロボ装置（３００）とブラケット（４００）の電気的な接続によりブラケットの装着を検出することを特徴とする請求項１に記載のオートバウンスストロボ。
【請求項５】
前記ブラケット検出手段（３２４）はストロボ装置（３００）に備えられたブラケット（４００）を固定するためのネジ穴内に設けられたスイッチであることを特徴とする請求項１に記載のオートバウンスストロボ。
【請求項６】
撮像装置（１００）と接続して使用するストロボ装置（３００）であって、
ストロボ装置（３００）は、構成として、
ストロボからストロボ光を反射させる反射面までの距離である反射面距離を測定するための反射面距離測定装置（３９２）と、
撮像装置（１００）との通信手段（３１０）と
被写体距離情報と前記反射面距離測定装置から測定された反射面距離を用いて、バウンス撮影をする際にバウンス位置を移動させるための角度であるバウンス角度を算出するバウンス角度算出手段（３１０）と、
バウンス位置を左右、上下に変更し、光を照射する方向を変更するためのバウンス駆動部（３５１）と、
バウンス位置を検出するためのバウンス位置検出手段（３５２）と、
ブラケット検出手段（３２４）と、
バウンス位置の変更範囲に制限をかけるバウンス位置制限手段（３１０）と、
を備え、
撮像装置（１００）は、構成として、
ストロボ装置（３００）との通信手段（１０１）と
を備え、
ストロボ装置（３００）または撮像装置（１００）は
被写体距離測定装置（１０７）を備え、
ブラケット検出手段（３２４）はブラケットの装着、取り付け位置を検出する事が可能であって、
ブラケット検出手段（３２４）によりブラケットの装着が検出された場合、バウンス位置制限手段（３１０）はブラケット取り付け位置のほか、撮像装置（１００）種類、撮像装置（１００）が装着するアクセサリに応じてバウンス位置の変更範囲に制限をかけることを特徴とするオートバウンスストロボ。
【請求項７】
前記ブラケット検出手段（３２４）はストロボ装置（３００）に備えられた、ブラケットの取り付け位置により押下されるスイッチが一様な複数のスイッチであることを特徴とする請求項６に記載のオートバウンスストロボ。
【請求項８】
撮像装置（１００）と接続して使用するストロボ装置（３００）であって、
ストロボ装置（３００）は、構成として、
ストロボからストロボ光を反射させる反射面までの距離である反射面距離を測定するための反射面距離測定装置（３９２）と、
撮像装置（１００）との通信手段（３１０）と
被写体距離情報と前記反射面距離測定装置から測定された反射面距離を用いて、バウンス撮影をする際にバウンス位置を移動させるための角度であるバウンス角度を算出するバウンス角度算出手段（３１０）と、
バウンス位置を左右、上下に変更し、光を照射する方向を変更するためのバウンス駆動部（３５１）と、
バウンス位置を検出するためのバウンス位置検出手段（３５２）と、
ブラケット取り付け状況入力要求手段（３１０）と、
ブラケット取り付け状況を入力するための入力手段（）と、
バウンス位置の変更範囲に制限をかけるバウンス位置制限手段（３１０）と、
を備え、
撮像装置（１００）は、構成として、
ストロボ装置（３００）との通信手段（１０１）と
を備え、
ストロボ装置（３００）または撮像装置（１００）は
被写体距離測定装置（１０７）を備え、
ブラケット取り付け状況入力要求手段（３１０）によりユーザにブラケット取り付け状況の入力を要求し、バウンス位置制限手段（３１０）はブラケット取り付け位置のほか、撮像装置（１００）種類、撮像装置（１００）が装着するアクセサリに応じてバウンス位置の変更範囲に制限をかけることを特徴とするオートバウンスストロボ。
【請求項９】
前記撮像装置（１００）が装着するアクセサリはバッテリーグリップまたはレンズであることを特徴とする請求項１、請求項２、請求項６、請求項８の何れか一項に記載のオートバウンスストロボ。
【請求項１０】
前記バウンス位置制限手段（３１０）による、バウンス位置の変更範囲の制限は、移動する事を禁止する、移動禁止領域を設定することを特徴とする請求項１、請求項２、請求項６、請求項８の何れか一項に記載のオートバウンスストロボ。
【請求項１１】
前記バウンス位置制限手段（３１０）による、バウンス位置の変更範囲の制限は、移動してもよいが停止する事を禁止する、停止禁止領域を設定することを特徴とする請求項１、請求項２、請求項６、請求項８の何れか一項に記載のオートバウンスストロボ。
【請求項１２】
撮像装置（１００）と接続して使用するストロボ装置（３００）であって、
ストロボ装置（３００）は、構成として、
ストロボからストロボ光を反射させる反射面までの距離である反射面距離を測定するための反射面距離測定装置（３９２）と、
撮像装置（１００）との通信手段（１０１）と
被写体距離情報と前記反射面距離測定装置から測定された反射面距離を用いて、バウンス撮影をする際にバウンス位置を移動させるための角度であるバウンス角度を算出するバウンス角度算出手段（３１０）と、
バウンス位置を左右、上下に変更し、光を照射する方向を変更するためのバウンス駆動部（３５１）と、
バウンス位置を検出するためのバウンス位置検出手段（３５２）と、
バウンス位置変更範囲の制限を設定するための入力手段（３２０）と、
バウンス位置制限手段（３１０）と、
を備え、
撮像装置（１００）は、構成として、
ストロボ装置（３００）との通信手段（１０１）と
を備え、
ストロボ装置（３００）または撮像装置（１００）は
被写体距離測定装置（１０７）を備え、
バウンス位置制限手段（３１０）は入力されたバウンス位置変更範囲の制限に従い
バウンス位置の変更範囲に制限をかけることを特徴とするオートバウンスストロボ。
【請求項１３】
前記バウンス位置変更範囲の制限を設定する際、方向を設定することを特徴とする請求項１２に記載のオートバウンスストロボ。
【請求項１４】
前記バウンス位置変更範囲の制限を設定する際、角度を設定することを特徴とする請求項１２に記載のオートバウンスストロボ。
【請求項１５】
前記バウンス位置変更範囲の制限を設定する際、ユーザがバウンス部（３５０）を手で動かすことで設定することを特徴とする請求項１２に記載のオートバウンスストロボ。
【請求項１６】
バウンス部（３５０）の駆動領域に制限をかけた後、バウンス部（３５０）を通常の駆動速度よりも低速で制限境界を移動させ、衝突の有無を確認することを特徴とする請求項１、請求項２、請求項６、請求項８、請求項１２の何れか一項に記載のオートバウンスストロボ。
【請求項１７】
衝突の有無を確認し、衝突があると判断された場合、制限境界を衝突が発生しない領域に変更することを特徴する請求項１６に記載のオートバウンスストロボ。
【発明の詳細な説明】
【技術分野】
【０００１】
本発明は、撮像装置のアクセサリとして使用するストロボ装置に関する。
【背景技術】
【０００２】
従来、ストロボ装置のバウンス部の照射方向を変更する際、障害物との衝突を防止する技術があった。
【０００３】
特許文献１では、バウンス部の回転角度が閾値を超えない範囲で駆動させたり、回転角度が閾値を超えたりした場合、回転角度が閾値を超えない場合よりも駆動速度を遅くするなどの駆動制限をしている。
【先行技術文献】
【特許文献】
【０００４】
【特許文献１】特開２０１５−１７３０号公報
【発明の概要】
【発明が解決しようとする課題】
【０００５】
しかしながら、上述の特許文献１に開示された従来技術では、ストロボ装置を他のアクセサリと同時に使用した場合、閾値内にカメラが入ってしまい、衝突が発生してしまう。閾値内の角度になるため、移動が制限されたり、速度が制限されたりすることなく衝突が生じるため、ストロボ装置やカメラが破損しまう可能性がある。ここで、他のアクセサリとは具体的にはストロボをカメラ側面に装着するためのブラケットのことである。
【０００６】
図２１に、ブラケット単体の例の図を示す。Ｌ字型のカメラ装着部、コの字型のストロボ装着部、ストロボとカメラを接続するためのアクシュー部からなる。カメラ装着部にはカメラを装着するためのネジと、カメラ装着部とストロボ装着部を接続するためのネジ穴が備えられている。図中ではカメラ装着部とストロボ装着部を接続するためのネジ穴はストロボ装着部の高さを３段階で変更するため、３つ備えられている。
【０００７】
ストロボ装着部にはストロボを装着するためのアクシュー部の一端がネジ穴で固定されている。加えて、ストロボの保持を強固にするためのネジ、カメラ装着部とストロボ装着部を接続するためのネジが備えられている。ストロボの保持を強固にするためのネジは図２１（Ｃ）に示すストロボ本体左側面に設けられたブラケット取り付けネジ穴に接続する。アクシュー部はカメラとストロボのそれぞれの通信端子を接続するための延長コードであり、一端はストロボ装着用でブラケットのストロボ装着部にネジで固定され、他端はカメラ側のアクシューに接続して使用する。
【０００８】
図２２に、高背なカメラを装着した場合の例を示す。図２２（Ａ）の状態からオートバウンス撮影をする際、ストロボのバウンス部が右側に回転するとカメラボディにストロボのバウンス部が衝突してしまう。ストロボのバウンス部が右側に回転する場合の例としては図２２（Ａ）の状態から左側に９０°レンズ光軸方向にカメラを回転した際、天井側にストロボヘッドを移動するときや右壁を使用しての壁バウンス撮影などがある。このような場合、ストロボをカメラに直接取り付けた場合と同じようにバウンス部を制御するとカメラボディにストロボのバウンス部衝突が発生してしまう。
【０００９】
加えて、図２２（Ｂ）に示す位置にストロボのバウンス部が停止した場合、ブラケットアクシュー部に遮光され、所望の発光効果が得られないことがある。つまり、ブラケット装着時にオートバウンス撮影をする場合、バウンス部の駆動可能な範囲を制限する必要があり、加えてバウンス部の駆動可能な範囲内で停止可能な範囲を制限する必要がある。
【００１０】
次に図２２（Ｃ）に、ブラケットのストロボ装着部とカメラ装着部の取り付け位置（高さ）を変えた場合の例を示す。図２２（Ｃ）はストロボのバウンス部を右側に向けた場合であってカメラとストロボのバウンス部の衝突が発生しない位置を示している。ブラケットの取り付け位置（高さ）を変更する前の図２２（Ｂ）と比べ、ストロボバウンス部がカメラと衝突しないための上下角度が大きくなっていることがわかる。このようにブラケットの取り付け位置（高さ）によりストロボのバウンス部がカメラと衝突しないための駆動範囲は異なることがわかる。
【００１１】
次に図２２（Ｄ）に、ストロボがカメラの右側に配置されるようにブラケットを装着した場合の例を示す。この場合、ストロボ本体の右側面にブラケット取り付けネジ穴が無ければブラケットのストロボ装着部に供えられたストロボの保持を強固にするためのネジを使用することはできないため、ブラケットとストロボはアクシュー部のみで固定される。図２２（Ｄ）のように装着した場合はオートバウンス撮影をする際、ストロボバウンス部が左側に回転するとカメラボディにバウンス部が衝突する。つまり、ブラケットの取り付け位置（左右）によってもストロボのバウンス部がカメラと衝突しないための駆動範囲は異なる。
【００１２】
加えて、図２２（Ｅ）に、低背なカメラを装着した場合の例を示す。低背なカメラの場合、図２２（Ｅ）の状態からオートバウンス撮影をする際、ストロボのバウンス部が右側に回転してもカメラボディにバウンス部が衝突することはない。（アクシュー部による遮光は発生する。図２２（Ｆ））そのため、装着しているカメラ種類によってもストロボのバウンス部がカメラと衝突しないための駆動範囲は異なる。さらに低背なカメラであってもバッテリーグリップを使用していた場合、駆動範囲は異なる（図２２（Ｇ））。
【００１３】
以上述べたように、ブラケットを使用してストロボをカメラ側面に装着する場合、取り付け位置（高さ）と取り付け位置（左右）、カメラ機種、バッテリーグリップなどの有無によりストロボのバウンス部がカメラと衝突しない駆動範囲は異なる。
【００１４】
そこで、本発明の目的は、ブラケットを使用してストロボをカメラ側面に装着する際、取り付け位置（高さ、左右）、カメラ機種、バッテリーグリップなどの有無に応じてバウンス部の駆動範囲を制限することを可能にしたストロボ装置を提供することにある。
【課題を解決するための手段】
【００１５】
上記の目的を達成するために、本発明に係るストロボ装置は、
撮像装置（１００）と接続して使用するストロボ装置（３００）であって、ストロボ装置（３００）は、構成として、ストロボからストロボ光を反射させる反射面までの距離である反射面距離を測定するための反射面距離測定装置（３９２）と、撮像装置（１００）との通信手段（３１０）と撮像装置（１００）との通信により得られた被写体距離情報と前記反射面距離測定装置から測定された反射面距離を用いて、バウンス撮影をする際にバウンス位置を移動させるための角度であるバウンス角度を算出するバウンス角度算出手段（３１０）と、バウンス位置を左右、上下に変更し、光を照射する方向を変更するためのバウンス駆動部（３５１）と、バウンス位置を検出するためのバウンス位置検出手段（３５２）と、ブラケット検出手段（３２４）と、ブラケット取り付け位置入力要求手段（３１０）と、ブラケット取り付け位置を入力するための入力手段（３２０）と、バウンス位置の変更範囲に制限をかけるバウンス位置制限手段（３１０）と、を備え、撮像装置（１００）は、構成として、被写体距離測定装置（１０７）と、ストロボ装置（３００）との通信手段（１０１）とを備え、ブラケット検出手段（３２４）はブラケットの装着を検出する事が可能であって、ブラケット検出手段（３２４）によりブラケットの装着が検出された場合、ブラケット取り付け位置入力要求手段（３１０）によりユーザにブラケット取り付け位置の入力を要求し、バウンス位置制限手段（３１０）はブラケット取り付け位置のほか、撮像装置（１００）種類、撮像装置（１００）が装着するアクセサリに応じてバウンス位置の変更範囲に制限をかけることことを特徴とする。
【発明の効果】
【００１６】
本発明によれば、ブラケットを使用してストロボをカメラ側面に装着する際、取り付け位置、カメラ機種、カメラが装着するアクセサリなどの有無に応じてバウンス部の駆動範囲を制限することを可能にしたストロボ装置を提供することができる。
【図面の簡単な説明】
【００１７】
【図１−１】実施例１のフローチャート図（テーブル決定）
【図１−２】実施例１のフローチャート図（安全確認）
【図２】オートバウンスストロボカメラシステムブロック図
【図３（Ａ）】エンコーダ図
【図３（Ｂ）】エンコーダ図
【図３（Ｃ）】エンコーダ図
【図３（Ｄ）】エンコーダ図
【図４】バウンス角度設定図
【図５】実施例１のオートバウンスストロボシステムの図
【図６】実施例１の表示の例
【図７】実施例１のバウンス駆動制限テーブルの例
【図８】実施例１の安全確認駆動説明図
【図９】実施例２のブラケット図
【図１０】実施例３の近接センサ説明図
【図１１】実施例４のブラケット、ストロボ説明図
【図１２】実施例５のフローチャート図
【図１３】実施例６の表示の例
【図１４】実施例６のフローチャート図
【図１５】実施例６の表示の例
【図１６】実施例７の表示の例
【図１７】実施例８のフローチャート図
【図１８】実施例８にかかる図
【図１９】実施例９の説明図
【図２０】実施例９のバウンス駆動制限テーブルの例
【図２１】ブラケット説明図
【図２２】課題説明図
【発明を実施するための形態】
【００１８】
以下に、本発明の好ましい実施の形態を、添付の図面に基づいて詳細に説明する。
【００１９】
図２は本発明の実施形態にかかわるオートバウンスストロボカメラシステムである。
【００２０】
図２において、１００はカメラを、２００はレンズを、３００はストロボを、４００はシューコードを、それぞれ示している。
【００２１】
まず、カメラ１００内の構成について説明する。
【００２２】
１０１はカメラ１００の各部を制御するマイクロコンピュータＣＰＵ（以下、カメラマイコン）である。カメラマイコン１０１は、例えばＣＰＵ、ＲＯＭ、ＲＡＭ、入出力制御回路（Ｉ／Ｏコントロール回路）、マルチプレクサ、タイマ回路、ＥＥＰＲＯＭ（電気的にデータを消去・書き込みできるＲＯＭ）、Ａ／Ｄコンバータ、Ｄ／Ａコンバータ等を含むマイコン内蔵ワンチップＩＣ回路構成となっている。そして、カメラシステムの制御をソフトウェアで行えるものであり、各種の条件判定を行う。
【００２３】
１０２は赤外カットフィルタやローパスフィルタ等を含むＣＣＤ，ＣＭＯＳ等の撮像素子であり、後述のレンズ群２０２によって撮影時に被写体の像が結像されると電気信号に変換する。
【００２４】
１０３はシャッターで非撮影時には撮像素子１０２を遮光し、撮影露光時にはシャッター幕を開いて撮像素子１０２へ光線を導く。
【００２５】
１０４は主ミラー（ハーフミラー）で非撮影時にレンズ群２０２より入射する光の一部を反射し１０５のピント板に結像させる。
【００２６】
１０５はピント板であり、ここに投影された像を不図示の光学ファインダーから撮影者が目視で確認する。
【００２７】
１０６は測光回路であり、この回路内の測光センサは被写体の撮影範囲を複数の領域に分割しそれぞれの領域で測光を行う。
【００２８】
１０７は焦点検出回路であり、回路内の測距センサは複数点を測距ポイントとして持ち、被写体までの距離を測距し、また測光センサの分割された部分に対応した位置に測距ポイントが含まれているよう構成されている。
【００２９】
測光回路１０６内の測光センサは後述する１１４のペンタプリズムを介してピント板１０５に結像された被写体像を見込んでいる。
【００３０】
１０８は撮像素子１０２の電気信号の増幅のゲインを切換えするためのゲイン切換え回路であり、ゲインの切換えは撮影の条件や撮影者の入力等によりカメラマイコン１０１が切換えを行う。
【００３１】
１０９は増幅された撮像素子１０２からの電気信号をデジタル信号に変換するＡ／Ｄ変換器であり、１１０は撮像素子１０２の増幅された電気信号入力とＡ／Ｄ変換器１０９のＡ／Ｄ変換タイミングを同期させるためのタイミングジェネレータ（ＴＧ）である。
【００３２】
１１１はＡ／Ｄ変換器１０９でデジタル信号に変換された画像データを所定の現像パラメータにしたがって画像処理を行うデジタル信号処理回路である。尚、処理画像の記憶のためのメモリ等は省略する。
【００３３】
ＳＣはカメラ１００とレンズ２００及びストロボ３００とのインターフェース用信号ラインである。例えばカメラマイコン１０１をホストとしてデータの交換やコマンドの伝達を相互に行う。これにより、ストロボ３００への発光開始信号や後述するストロボマイコン３１０との通信クロック端子を持ち、カメラマイコン１０１からストロボマイコン３１０間で通信を可能にしている。
【００３４】
４００はシューコードでありカメラ１００とストロボ３００の間に接続して使用する。図中ではストロボ３００をカメラ１００の側面に配置すると重なってしまうため上部に配置しているように表現されているが、シューコード４００とブラケットを併せて使用することでストロボ３００をカメラ１００の側面に装着することが出来る。
【００３５】
同様にＳＣは後述するレンズマイコン２０１とのインターフェースであり、レンズマイコン２０１からカメラマイコン１０１にデータを送信する端子を有し、カメラマイコン１０１とレンズマイコン２０１間で通信を可能にしている。
【００３６】
１１２は各種入力部であり、撮像素子１０２のゲインの設定を入力する事や、制御系スイッチやボタンなどでカメラの設定などを外部から入力する事が可能である。
【００３７】
１１３は各種設定されたカメラの撮影モードやその他の撮影情報などを表示する液晶装置や発光素子などからなる表示部である。
【００３８】
１１４はペンタプリズムで、ピント板１０５の被写体像を測光回路１０６内の測光センサ及び不図示の光学ファインダーに導く。
【００３９】
１１５はサブミラーで、レンズ群２０２より入射し主ミラー１０４を透過した光線を焦点検出回路１０７の測距センサへ導く。
【００４０】
１６０は３軸の加速度センサなどから成る姿勢検知センサであり、カメラマイコン１０１に接続されている。カメラマイコンは姿勢検知センサ１６０の出力から、カメラの姿勢が、重力方向と光軸方向に対しどのような姿勢にあるかを検出することができる。
【００４１】
次に、レンズ２００内の構成と動作について説明する。
【００４２】
２０１はレンズ２００の各部の動作を制御するマイクロコンピュータＬＰＵ（以下、レンズマイコン）である。
【００４３】
レンズマイコン２０１は、例えばＣＰＵ、ＲＯＭ、ＲＡＭ、入出力制御回路（Ｉ／Ｏコントロール回路）、マルチプレクサ、タイマ回路、ＥＥＰＲＯＭ（電気的にデータを消去・書き込みできるＲＯＭ）、Ａ／Ｄコンバータ、Ｄ／Ａコンバータ等を含むマイコン内蔵ワンチップＩＣ回路構成となっている。そして、レンズ内の制御をソフトウェアで行えるもので、各種の条件判定を行う。
【００４４】
２０２は複数枚で構成されたレンズ群である。
【００４５】
２０３はレンズ群２０２の焦点位置合わせ用の光学系を移動させるレンズ駆動部であり、レンズ群２０２の駆動量は、カメラ１００内にある焦点検出回路１０７の出力に基づいてカメラマイコン１０１内にて演算され算出される。
【００４６】
２０４はレンズ群２０２の駆動時に位置を検出するエンコーダである。カメラマイコン１０１で算出された駆動量はカメラマイコン１０１からレンズマイコン２０１にインターフェースＳＣを介して通信され、エンコーダ２０４の駆動情報により駆動量相当をレンズマイコン２０１がレンズ駆動部２０３を動作させ、レンズ群２０２が合焦位置へ移動させられる。レンズマイコン２０１とカメラマイコン１０１との通信では他にレンズ情報をレンズマイコン２０１からカメラマイコン１０１に送信する。
【００４７】
２０５は絞り、２０６は絞り制御回路である。
【００４８】
絞り２０５は絞り制御回路２０６を介してレンズマイコン２０１により制御される。
【００４９】
なお、レンズ群２０２の焦点距離は単焦点のものであっても、ズームレンズのように焦点距離は可変であっても構わない。
【００５０】
次に、ストロボ３００の構成について説明する。
【００５１】
３１０はストロボ３００の各部の動作を制御するマイクロコンピュータＦＰＵ（以下、ストロボマイコン）である。ストロボマイコン３１０は、例えばＣＰＵ、ＲＯＭ、ＲＡＭ、入出力制御回路（Ｉ／Ｏコントロール回路）、マルチプレクサ、タイマ回路、ＥＥＰＲＯＭ（電気的にデータを消去・書き込みできるＲＯＭ）、Ａ／Ｄ、Ｄ／Ａコンバータ等を含むマイコン内蔵ワンチップＩＣ回路構成となっている。ストロボマイコン３１０はカメラシステムの制御をソフトウェアで行えるもので、各種の条件判定を行う。
【００５２】
３０１はストロボの電源（ＶＢＡＴ）としての電池である。
【００５３】
３０２は電池３０１の電圧を数百Ｖに昇圧する昇圧回路であり、図示しないメインコンデンサに発光のためのエネルギーを蓄積させる。メインコンデンサに充電された電圧は図示しない電圧検出回路により分圧され、分圧された電圧はストロボマイコン３１０のＡ／Ｄ変換端子に入力される。
【００５４】
３０６はトリガー回路である。
【００５５】
３０７は放電管であり、図示しないメインコンデンサに充電されたエネルギーをトリガー回路３０６から印加される数ＫＶのパルス電圧を受け励起する事で放電管３０７が発光し、その光を被写体に照射する。
【００５６】
３０８はトリガー回路３０６と共に放電管３０７の発光の開始を制御し、さらに発光の停止を制御する発光制御回路である。
【００５７】
３２３は放電管３０７の発光量を受光するセンサとしてのフォトダイオードであり、直接またはグラスファイバーなどを介して放電管３０７の光を受光する。
【００５８】
３０９はフォトダイオード３２３の受光電流を積分する積分回路であり、その出力は３１２のコンパレータの反転入力端子とストロボマイコン３１０のＡ／Ｄコンバータ端子に入力される。コンパレータ３１２の非反転入力はストロボマイコン３１０内のＤ／Ａコンバータ出力端子に接続され、コンパレータ３１２の出力は３１１のＡＮＤゲートの入力端子に接続される。ＡＮＤゲート３１１のもう一方の入力はストロボマイコン３１０の発光制御端子と接続され、ＡＮＤゲート３１１の出力は発光制御回路３０８に入力される。
【００５９】
３１５は反射傘、３１６はパネル等から成りストロボ３００の照射角を変更するズーム光学系である。ここで、反射傘３１５とズーム光学系３１６の距離を所定の位置に変更することにより、被写体への照射ガイドナンバー及び配光を変化させることが可能となる。
【００６０】
３１３はモータードライバー回路およびモーター等から成るズーム光学系３１６を移動させるズーム駆動部であり、ズーム光学系３１６の駆動量はストロボマイコン３１０のズーム制御端子より信号を受け駆動される。このズーム駆動量はレンズマイコン２０１からカメラマイコン１０１へ焦点距離情報が通信により与えられカメラマイコン１０１を介してストロボマイコン３１０に通信され、その焦点距離情報に応じてストロボマイコン３１０でズームの駆動量が演算される。
【００６１】
３１４はズーム光学系３１６のズーム位置を検出するエンコーダ等の位置検出部であり、ストロボマイコン３１０の位置信号端子に移動情報を与え、ストロボマイコン３１０の位置信号端子にて必要な駆動量分だけズーム駆動部３１３内のモーターを動作させる。
【００６２】
３５０はストロボ３００のバウンスが可能な主発光部である、バウンス部である。
【００６３】
３５１はモータードライバー回路およびモーター等から成るバウンス部３５０を移動させるバウンス駆動部であり、バウンス部３５０の駆動量はストロボマイコン３１０のバウンス制御端子より信号を受け駆動される。
【００６４】
３５２はバウンス部３５０のバウンス位置を検出するエンコーダ等の位置検出部であり、ストロボマイコン３１０の位置信号端子に移動情報を与え、ストロボマイコン３１０の位置信号端子にて必要な駆動量分だけバウンス部３５０内のモーターを動作させる。
【００６５】
本発明の実施の形態では垂直バウンス方向、水平バウンス方向にそれぞれエンコーダを備えているが垂直バウンス方向に駆動するバウンスモータ用に設けられたエンコーダについて説明する。
【００６６】
図３（Ａ）は垂直バウンス方向に駆動するバウンスモータ用に設けられたエンコーダを説明のため、簡略化した例であり、図３（Ｂ）は、エンコーダと電気回路の概念図である。
【００６７】
基板上にパターン４０１，４０２，４０３を形成し、ＧＮＤに結線する。摺動部切片４０５，４０６，４０７には各々信号ｂｉｔ３、ｂｉｔ２、ｂｉｔ１へ配線し、マイコンの信号入力部へ結線する。信号ｂｉｔ３、ｂｉｔ２、ｂｉｔ１は各々抵抗を介して電源ＶＤＤに接続する。摺動部４０５，４０６，４０７がパターン４０１，４０２，４０３に接しているときに各信号ｂｉｔ３，ｂｉｔ２，ｂｉｔ１はＬｏ，パターンから離れるとＨｉとなる。このように機械的な角度変化により、各摺動部の信号ｂｉｔ３、ｂｉｔ２、ｂｉｔ１が異なることから、信号ｂｉｔ３、ｂｉｔ２、ｂｉｔ１の組み合わせにより、角度情報を取得することができる。
【００６８】
このようにエンコーダからの出力信号の組み合わせに応じて、バウンスの角度を検出することができる。
【００６９】
図４は垂直バウンス方向に対しバウンス角度を設定した一例である。図４（ａ）ではカメラ１００、レンズ２００の光軸方向に対しバウンス部３５０が略水平になっているものであり、バウンス角度を垂直０度とする。図４（ｂ）ではカメラ１００、レンズ２００の光軸方向に対しバウンス部３５０が上面を照射する角度を略６０度で形成し、バウンス角度を垂直６０度とする。図４（ｃ）ではカメラ１００、レンズ２００の光軸方向に対しバウンス部３５０が上面を照射する角度を略７５度で形成し、バウンス角度を垂直７５度とする。図４（ｄ）ではカメラ１００、レンズ２００の光軸方向に対しバウンス部３５０が上面を照射する角度を略９０度で形成し、バウンス角度を垂直９０度とする。
【００７０】
図４（ａ）に相当するバウンス角度垂直０度の時には、エンコーダ（ｂｉｔ３，ｂｉｔ２，ｂｉｔ１）＝（０，０，０）。図４（ｂ）に相当するバウンス角度垂直６０度の時には、エンコーダ（ｂｉｔ３，ｂｉｔ２，ｂｉｔ１）＝（０，０，１）。図４（ｃ）に相当するバウンス角度垂直７５度の時には、エンコーダ（ｂｉｔ３，ｂｉｔ２，ｂｉｔ１）＝（０，１，１）。図４（ｄ）に相当するバウンス角度垂直９０度の時には、エンコーダ（ｂｉｔ３，ｂｉｔ２，ｂｉｔ１）＝（１，１，１）となる。
【００７１】
本発明の実施例では垂直バウンス方向には、ｂｉｔ１からｂｉｔ４までを用い角度０度から角度９０度までを１０度刻み（一部は５度）で検出可能な図３（Ｃ）のエンコーダを使用する。水平バウンス方向には、ｂｉｔ１からｂｉｔ６までを用い角度―１８０度から＋１８０度までを１０度刻み（一部は５度）で検出可能な図３（Ｄ）のエンコーダを使用する。ここで水平バウンス方向の角度について、正面を向いている状態を０度とし、そこから右側へ回転する角度を正、左側に回転する角度を負とする。
【００７２】
図２に戻り、３２０は各種入力部（入力インターフェース）であり、例えばストロボ３００の側面などにスイッチが設置されており、手動によりズーム情報を入力することも可能である。
【００７３】
３２１はストロボ３００の各状態を表示するストロボ表示部である。このストロボ表示部３２１にはユーザにブラケット取り付け位置情報の入力を促す表示や、ユーザが入力部３２０を用いて設定をする際の表示をする。
【００７４】
３２２はスイッチなどで構成されるストロボのバウンス状態を検知するバウンス検出回路である。
【００７５】
３２３はフォトダイオードでの積分回路３０９にて受光電流を積分する。
【００７６】
３２４はブラケット検出回路であり、ブラケット取り付けネジ穴に備えられたスイッチやパワーブラケットの接続を検出するための電気回路などで構成される。
【００７７】
３９２は距離計であり、ストロボから反射面までの距離を測定する。距離計３９２としてはレーザを用いた光学距離計を用いると数ｍｍの精度で距離を検出する事が可能である。この場合、装置が大きくなるため、受光素子を用い、ストロボの発光の反射光を受光し、反射光の出力で距離を測定する方式の距離計を採用することで小型化が可能である。
【００７８】
以上が、本発明の実施形態に関わる、オートバウンスストロボカメラシステムである。
【実施例１】
【００７９】
第１の実施例ではブラケットの装着を検出することが可能であって、取り付け位置についてはユーザが入力する場合の例について説明を行う。特にブラケットの装着を検出する方法としてブラケット検出回路３２４がストロボ３００のブラケット取り付けネジ穴内に備えられたスイッチの場合についての説明を実施する。
【００８０】
図５に示すストロボ、ブラケット、カメラを使用する。ストロボのブラケット取り付けネジ穴内にはスイッチがあり、ブラケットの装着を検出することが可能である。図５（Ｄ）のように接続した状態から図１−１のフローチャートを用いて説明を実施する。
【００８１】
図２に不図示の電源スイッチがオンされてカメラ１００のカメラマイコン１０１が動作可能となると、カメラマイコン１０１は、カメラマイコン１０１自身のメモリやポートの初期化を行う。また入力部１１２より入力されたスイッチの状態や予め設定された入力情報を読み込み、シャッタースピードの決め方や、絞りの決め方等様々な撮影モードの設定を行う。
【００８２】
Ｓ１０１ではストロボマイコン３１０はブラケット検出回路の出力をチェックし、ブラケットが装着されているかを判断する。図５に示す通りブラケットが装着されておりブラケット検出回路のスイッチが押下されているため、Ｓ１０２へ移行する。
【００８３】
Ｓ１０２ではストロボマイコン３１０はストロボ表示部３２１に図６（Ａ）のようなブラケットの装着を確認する表示を行う。
【００８４】
Ｓ１０３ではストロボマイコン３１０はＳ１０２でユーザがブラケットを装着している、と選択したか否かを確認する。ここでは図５（Ｄ）の通りブラケットを装着しているため、Ｓ１０４へ移行する。
【００８５】
Ｓ１０４ではストロボマイコン３１０はストロボ表示部３２１に図６（Ｂ）のようなブラケット取り付け位置を確認する表示を行う。
【００８６】
Ｓ１０５ではストロボマイコン３１０はＳ１０４のブラケット取り付け位置の確認結果をもとにストロボ表示部３２１に図６（Ｃ）のようなアイコンを表示する。
【００８７】
Ｓ１０６ではストロボマイコン３１０はカメラマイコンと通信を行い、カメラの種類、バッテリーグリップの装着状況に関する情報を受け取る。
【００８８】
Ｓ１０７ではストロボマイコン３１０はＳ１０４のブラケット取り付け位置確認結果とＳ１０６の通信結果をもとにバウンス部３５０の駆動を制限するためのバウンス駆動制限テーブルを決定する。バウンス駆動制限テーブルについては予めストロボマイコン３１０に図７に示すバウンス駆動制限テーブルを記憶させておく。図で可動領域、とあるのは禁止領域外の部分のことである。停止禁止領域とは可動領域内にあり、バウンス部３５０の停止を禁止する領域である。本実施例の例ではカメラは高背、アクセサリはブラケット、位置（左右）は左側、位置（上中下）は上のバウンス駆動制限テーブルを選択し、終了する。
【００８９】
次に、バウンス駆動制限テーブルを選択した後の安全確認のための駆動について説明を実施する。図１−２のフローチャートを用いて説明を行う。
【００９０】
Ｓ２０１ではストロボマイコン３１０はストロボ表示部３２１に安全確認駆動を実施する旨の表示を行う（図６（Ｄ））。
Ｓ２０２ではストロボマイコン３１０はＳ２０１の確認の結果、ユーザがＹｅｓを選択した場合はＳ２０２へ移行する。Ｎｏを選択した場合は終了する。
【００９１】
Ｓ２０３ではストロボマイコン３１０はバウンス部３５０をＳ１０７で選択したバウンス駆動制限テーブルの領域境界に沿って駆動させる。この時の駆動速度は通常の駆動速度よりも低速で行う。
【００９２】
Ｓ２０４ではストロボマイコン３１０は安全確認駆動時に衝突があったかの確認を行う。衝突が無ければ終了する。衝突があった場合はＳ２０５へ移行する。
【００９３】
Ｓ２０５では制限領域の変更を行う。ここで制限領域変更の例について図８（Ａ）を用いて説明を行う。図中横軸は水平バウンス角であり正は右回転方向、負は左回転方向を示す。縦軸は垂直バウンス角である。ここで駆動可能領域と駆動禁止領域の境界がＡ点、Ｂ点を結ぶ直線とＢ点と横軸に平行な線で囲まれた領域であるとする。（線上は駆動可能領域）Ｏ点からＡ点へ水平バウンス角を変更している途中のＸ点で衝突が発生した場合、Ｘ点の水平バウンス角度−１０度のＣ点から縦軸に平行な線を新たな境界として設定する。
【００９４】
図８（Ｂ）にはＢ点から水平バウンス角を１８０度へ移動中に衝突が発生した場合の例を示す。縦軸、横軸は図８（Ａ）と同じである。安全確認駆動をＯ点より開始し、Ａ点、Ｂ点を経てＸ点で衝突が発生したとする。この場合はＸ点の垂直バウンス角度＋１０度のＤ点と横軸に平行な線を新たな境界として設定する。
【００９５】
以上述べたように、ブラケットを検出した後、ブラケット取り付け位置、カメラ機種によりバウンス駆動制限テーブルを選択し、バウンス駆動制限を実施することでオートバウンスストロボとブラケットを同時に使用した場合でもカメラとストロボのバウンス部３５０が衝突することを防止することが出来る。また、安全確認駆動を実施することでより安全にオートバウンスストロボとブラケットを同時に使用することが可能になる。
【実施例２】
【００９６】
第２の実施例ではブラケットの装着を電気的な接続により検出可能であって、取り付け位置についてはユーザが入力する場合の例について説明を行う。第１の実施例と異なりブラケット検出回路３２４は電気的な接続によりブラケットを検出する。
【００９７】
図９（Ａ）に示すようなストロボ装着部に電池装着部を備え、電池により昇圧した電圧を高圧接続部からストロボに供給することでストロボの充電時間を短縮することが可能なブラケットがある。図９（Ｂ）にこのようなブラケットと接続可能なストロボ側の例を示す。高圧接続部を接続するための端子が設けられている。高圧接続部内に電池により昇圧した電圧を供給するラインと接続を検出するためのライン、ＧＮＤを備えている。接続を検出するためのラインによりブラケットの検出を実施する以外は実施例１と同じである。
【００９８】
以上述べたように、ブラケット検出回路３２４が電気的な接続による検出の場合でも第１の実施例と同様の効果が得られる。
【実施例３】
【００９９】
第３の実施例ではブラケットの装着を間接的に検出可能であって、取り付け位置についてはユーザが入力する場合の例について説明を行う。第１の実施例とブラケット検出回路３２４が異なるだけなのでブラケット検出回路３２４についてのみ、説明を行う。
【０１００】
第３の実施例ではブラケット検出回路３２４は近接センサであり、特にＩＲＬＥＤと受光センサからなる近接センサの場合について説明を行う。この近接センサは近傍に物体があれば反射光を検出する。
【０１０１】
図１０（Ａ）に、ストロボ底面に設けられた近接センサの模式図を示す。図１０（Ｂ）、図１０（Ｃ）に、近接センサを搭載したストロボをカメラに直接装着した場合とブラケットに装着した場合の例を示す。
【０１０２】
図中カメラに装着した場合ではＩＲＬＥＤの出力がカメラに反射し受光センサは反射光を検出する。一方、ブラケット装着時はＩＲＬＥＤの出力は下方に抜けるため受光センサは反射光を検出しない。このように近接センサを用いることでカメラに装着されているか否かを検出し、カメラに装着されていないと判断された場合、ブラケットが検出されたとして処理を実施することで第１の実施例と同様の効果が得られる。
【０１０３】
第１の実施例の場合、ストロボ側のブラケット取り付けネジ穴を使用する取り付け方である、ストロボをカメラの左側に配置する取り付け方の場合は検出が可能であるがストロボをカメラの右側に配置する取り付け方をした場合に検出できない。本実施例の場合、取り付けの左右の別なく検出することが可能である。
【実施例４】
【０１０４】
第４の実施例ではブラケットの装着、取り付け位置ともに自動検出する場合の例について説明を行う。第１の実施例と異なる点はブラケット検出回路３２４がストロボの側面に複数備えられたスイッチであり、ブラケットのカメラ装着部に取り付け位置検出用の突起があることである。
【０１０５】
図１１を用いて説明を行う。
【０１０６】
図のストロボ装置には側面に複数の検出スイッチが備えられている（図１１（Ａ））。検出スイッチは左右３つずつ備えられており、ブラケットを装着した位置により対応するスイッチがブラケット側に備えられた取り付け位置検出用突起により押される仕組みになっている（図１１（Ｂ）、図１１（Ｃ））。この場合は第１の実施例と同様のフローチャートによりバウンス駆動制限テーブルを決定してもよいし、Ｓ１０１でストロボマイコン３１０がブラケットの装着を検出した後、Ｓ１０２からＳ１０４を省略してＳ１０５のアイコン表示に移行してもよい。Ｓ１０１でストロボマイコン３１０がブラケットの装着を検出する際、取り付け位置がわかるためである。
【０１０７】
以上述べたように、ブラケットの装着、取り付け位置ともに自動検出が可能になり、その結果、ユーザが取り付け位置を入力することなく、適切なバウンス駆動制限テーブルをストロボマイコン３１０が選択し制御することが可能になる。
【実施例５】
【０１０８】
第５の実施例ではブラケット検出回路３２４がストロボ３００に無い場合の例について説明を行う。図２のブラケット検出回路３２４が無いこと以外は同じである。
【０１０９】
図１２のフローチャートを用いて説明を行う。図１−１との差異はストロボマイコン３１０がブラケットを検出するステップがない点である。
【０１１０】
Ｓ３０１ではストロボマイコン３１０は不図示の電源スイッチがオンされるとブラケットの装着確認をユーザに求める表示をする（図１３（Ａ））。
【０１１１】
Ｓ３０２ではストロボマイコン３１０はＳ３０１でユーザがブラケットを装着している、と選択したか否かを確認する。ブラケットを装着している、と選択された場合はＳ３０３へ移行し、装着していないと選択された場合は終了する。
【０１１２】
Ｓ３０３ではストロボマイコン３１０はストロボ表示部３２１に図１３（Ｂ）のようなブラケット取り付け位置を確認する表示を行う。ここで実施例１と異なるのはブラケットの取り付け位置について左右の別も確認している点である。
【０１１３】
Ｓ３０４以降は実施例１のＳ１０５以降と同じため、省略する。
【０１１４】
以上述べたように、ストロボ３００がブラケット検出回路３２４を備えていない場合であっても電源スイッチがオンされたタイミングなどで装着状況をユーザに確認することで実施例１と同様の効果が得られる。この実施例の効果として追加部品を設けることなく、適切なバウンス駆動制限テーブルを選択することが出来る。
【実施例６】
【０１１５】
第６の実施例では第５の実施例と同様にブラケット検出回路３２４がストロボ３００に無い場合であって、ユーザが駆動制限方向を入力する場合の例について説明を行う。
【０１１６】
図１４のフローチャートを用いて説明を行う。
【０１１７】
Ｓ４０１ではストロボマイコン３１０はユーザがストロボ３００を操作して駆動制限設定が選択されたか否かを判定する（図１５（Ａ）に例）。
【０１１８】
Ｓ４０２ではストロボマイコン３１０はストロボ表示部３２１に図１５（Ｂ）のような駆動制限設定画面を表示する。ここでは右か左として駆動を制限する方向をユーザに選択させる。
【０１１９】
Ｓ４０３ではストロボマイコン３１０はユーザにより入力された駆動制限方向に従い、駆動制限範囲を決定する。この例ではＳ４０２で右が選択された場合、水平バウンス角度が０°以下に、左が選択された場合は０°以上に制限される。
【０１２０】
Ｓ４０４ではストロボマイコン３１０はストロボ表示部３２１に図１５（Ｃ）のような駆動制限状態を示す表示を表示し終了する（図１５（Ｃ）は右側を制限した場合の例。）。
【０１２１】
以上述べたように、ストロボ３００がブラケット検出回路３２４を備えていない場合であってもユーザが駆動制限方向を指定することで実施例１と同様の効果が得られる。
【実施例７】
【０１２２】
第７の実施例では第６の実施例と同様にブラケット検出回路３２４がストロボ３００に無い場合であって、ユーザが駆動制限を入力する場合の例であるが第６の例と異なり、ユーザが方向ではなく、角度を入力する場合の例について説明を行う。
【０１２３】
フローチャート図も第６の実施例と同じため、異なる点について説明を行う。
【０１２４】
Ｓ４０２でストロボマイコン３１０はストロボ表示部３２１に図１６（Ａ）の駆動制限設定画面を表示する。ここで第６の実施例と異なるのは駆動制限する角度を直接入力するよう、要求している点である。ユーザは左右、上方向の角度をそれぞれ入力する。ここで上段の左右方向角度を制限する範囲は「＋４５度」と設定した場合は右方向に４５度より大きい角度を禁止領域とする。また、「−６０度」と設定した場合は左方向に−６０度より小さい角度を禁止領域とする。上方向角度を制限する範囲は「６０度」と設定した場合は６０度未満の角度を禁止領域とする。左右角度と上角度の設定された領域が重なる領域が最終的な駆動禁止領域である。
【０１２５】
Ｓ４０３ではストロボマイコン３１０はユーザにより入力された駆動制限角度に従い、駆動制限範囲を決定する。図１６（Ａ）の例では右方向４５度より大きく、かつ上方向に６０度未満の領域が駆動禁止領域となる（図１６（Ｂ））。
【０１２６】
Ｓ４０４ではストロボマイコン３１０はストロボ表示部３２１に図１６（Ｃ）のような駆動制限状態を示す表示を表示し終了する。
【０１２７】
以上述べたように、ストロボ３００がブラケット検出回路３２４を備えていない場合であってもユーザが駆動制限角度を指定することで実施例１と同様の効果が得られる。実施例６では方向のみの指定であったので角度を指定することでより細かい制限範囲の指定が可能となる。
【実施例８】
【０１２８】
第８の実施例では第６、第７の実施例と同様にブラケット検出回路３２４がストロボ３００に無い場合であって、ユーザが駆動制限を入力する場合の例であるが第６、第７の例と異なり、ユーザがストロボ３００のバウンス部３５０を手で動かして制限範囲を指定する。
【０１２９】
図１７のフローチャートを用いて説明を行う。
【０１３０】
Ｓ５０１ではストロボマイコン３１０はユーザがストロボ３００を操作して駆動制限設定が選択されたか否かを判定する。
【０１３１】
Ｓ５０２ではストロボマイコン３１０はバウンス部３５０を正面に移動する。
【０１３２】
Ｓ５０３ではストロボマイコン３１０はストロボ表示部３２１に駆動制限範囲を指定するよう、ユーザに要求する表示を表示する（図１８（Ａ））。
【０１３３】
Ｓ５０４ではストロボマイコン３１０はユーザが動かすヘッドの軌跡を読み取る。
【０１３４】
Ｓ５０５ではストロボマイコン３１０はＳ５０４で読み取ったユーザが動かしたヘッドの軌道を元に駆動制限範囲を決定する。図１８（Ｂ）に、決定方法の例を示す。図中の太い矢印はユーザがバウンス部３５０を動かした軌跡である。水平方向右側にバウンス部３５０を移動させた後、障害物があるため、垂直方向にヘッドを移動させ、（Ｅ点）その後、カメラと衝突が発生しない垂直方向角度で再度水平方向右側にヘッドを移動させ始める。（Ｆ点）カメラと衝突が発生しなくなったため垂直方向角度を０度に戻し、（Ｇ点）垂直方向０度（Ｈ点）を経て水平バウンス角度＋１８０度の点に至っている。ストロボマイコン３１０は水平点線はストロボマイコン３１０が決定した駆動禁止領域の境界である。ストロボマイコン３１０はユーザがバウンス部３５０を動かした軌跡から垂直方向にヘッドを動かし始めたＥ点の水平バウンス角度−１０度の線とカメラとの衝突が発生しない垂直方向角度であるＦ点の垂直バウンス角度＋１０度の線を駆動禁止領域の境界に設定する（点線。線上は禁止領域に含まない。）。ここで「Ｅ点の水平バウンス角度−１０度」より大きくかつ「Ｆ点の垂直バウンス角度＋１０度」未満の領域が駆動禁止領域となる。
【０１３５】
Ｓ５０６ではストロボマイコン３１０はストロボ表示部３２１に図１６（Ｃ）（実施例７のＳ４０４の図と同じ）のような駆動制限状態を示す表示を表示し、終了する。
【０１３６】
以上述べたように、ストロボ３００がブラケット検出回路３２４を備えていない場合であってもユーザが駆動制限範囲を指定することで実施例１と同様の効果が得られる。実施例では角度の指定であったので設定角度をユーザが間違える可能性があったが実施例８の例ではユーザがヘッドを動かして駆動制限範囲を指定するため、前記間違いを無くすことが出来る。
【実施例９】
【０１３７】
第９の実施例では第１の実施例とバウンス駆動制限テーブルが異なる場合の例について説明を行う。
【０１３８】
第１の実施例ではレンズの種類によってバウンス駆動制限テーブルは変わらなかった。しかし実際には図１９に示す通り、長くて径の大きいレンズを使用した場合、ブラケットの高さを低い位置で取り付けた場合、ストロボがレンズに衝突する場合や停止位置によってはレンズにより遮光される場合が発生する。このような事態を回避するため、レンズにより異なるバウンス駆動制限テーブルをストロボマイコン３１０に保持させる、というのが第９の実施例である。
【０１３９】
フローチャートその他は実施例１と同じであるため、異なる点についてのみ説明を行う。
【０１４０】
ストロボマイコン３１０は予めバウンス駆動制限テーブルとして図２０のようなレンズにより異なるバウンス駆動制限テーブルを保存している。
【０１４１】
フローチャートＳ１０６でストロボマイコン３１０はカメラマイコンと通信を行い、カメラ、レンズの種類、バッテリーグリップの装着状況に関する情報を受け取る。ここで実施例１と異なるのはレンズの種類が追加されたことである。
【０１４２】
Ｓ１０７ではストロボマイコン３１０はＳ１０４のブラケット取り付け位置確認結果とＳ１０６の通信結果をもとにバウンス部３５０のバウンス駆動制限テーブルを決定する。
【０１４３】
他は実施例１と同じため、説明を省略する。
【０１４４】
以上述べたように、レンズ種類により異なるバウンス駆動制限テーブルを用いてバウンス駆動制限を実施することにより、様々なレンズが取り付けられた場合であっても衝突や遮光を発生させることなく、安全にオートバウンス撮影を実施することが可能になる。
【０１４５】
バウンス駆動制限テーブルは個々のレンズ毎で持たせてもよいし、レンズをグループに分け、レンズグループによりバウンス駆動制限テーブルを選択するようにしてもよい。
【０１４６】
以上、本発明の好ましい実施形態について説明したが、本発明はこれらの実施形態に限定されず、その要旨の範囲内で種々の変形及び変更が可能である。
【符号の説明】
【０１４７】
３２４  ブラケット検出手段、３１０  ブラケット取り付け位置入力要求手段、
３１０  バウンス位置制限手段、３００  ストロボ装置、１００  撮像装置、
４００  ブラケット
【図１−１】
2017125982.tif 000003
【図１−２】
2017125982.tif 000004
【図２】
2017125982.tif 000005
【図３（Ａ）】
2017125982.tif 000006
【図３（Ｂ）】
2017125982.tif 000007
【図３（Ｃ）】
2017125982.tif 000008
【図３（Ｄ）】
2017125982.tif 000009
【図４】
2017125982.tif 000010
【図５】
2017125982.tif 000011
【図６】
2017125982.tif 000012
【図７】
2017125982.tif 000013
【図８】
2017125982.tif 000014
【図９】
2017125982.tif 000015
【図１０】
2017125982.tif 000016
【図１１】
2017125982.tif 000017
【図１２】
2017125982.tif 000018
【図１３】
2017125982.tif 000019
【図１４】
2017125982.tif 000020
【図１５】
2017125982.tif 000021
【図１６】
2017125982.tif 000022
【図１７】
2017125982.tif 000023
【図１８】
2017125982.tif 000024
【図１９】
2017125982.tif 000025
【図２０】
2017125982.tif 000026
【図２１】
2017125982.tif 000027
【図２２】
2017125982.tif 000028